(57)【要約】    【課題】  トレイパネルに反りが発生した場合でも光ディスクの風切音による騒音を低減することができる光ディスク再生装置を提供する。    【解決手段】  前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置において、前記開口部は、前記前面パネルよりも筐体内方に凹んだ形状の凹部を有して構成され、前記凹部の底面に固着され、該ディスクトレイに沿った形で前記筐体外方に向かって突出する突出部を有するパッキング部が前記凹部内に設けられる。【選択図】  図２
2005196884.tif 000002
【特許請求の範囲】
【請求項１】
前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置において、
前記開口部は、前記前面パネルよりも筐体内方に凹んだ形状の凹部を有して構成され、前記凹部の底面に固着され、該ディスクトレイに沿った形で前記筐体外方に向かって突出する突出部を有するパッキング部が前記凹部内に設けられること
を特徴とする光ディスク再生装置。
【請求項２】
前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置において、
前記開口部は、前記前面パネルよりも筐体内方に凹んだ形状の凹部を有して構成され、前記凹部の底面に固着される底部と、該ディスクトレイに沿った形で前記筐体外方に向かって突出する凸部とからなるパッキング部が前記凹部内に設けられること
を特徴とする光ディスク再生装置。
【請求項３】
請求項２において、前記パッキング部は、クッション材機能を有し、前記トレイパネルは、上端部および下端部が筐体内方に向かって突出し、先端が前記パッキング部に接触する湾部を有して構成されることを特徴とする光ディスク再生装置。
【請求項４】
請求項３において、前記凸部は、先端部が前記湾部の内面に沿った形で傾斜する傾斜部として構成されることを特徴とする光ディスク再生装置。
【請求項５】
前面パネル部に開口部が形成された筐体と、光ディスクを載置し、前記筐体内に収納される収納位置と前記開口部から前記筐体外に引き出される引き出し位置との間をスライド自在に設けられるディスクトレイと、および前記開口部を閉止するトレイパネルとを備えた光ディスク再生装置において、
前記前面パネル部よりも筐体内方に凹んだ形状の凹部を有して構成された前記開口部と、前記凹部の底面に固着され、該ディスクトレイに沿った形で前記筐体外方に向かって突出する突出部との間に、上端部および下端部が筐体内方に向かって突出し、先端が前記パッキング部に接触する前記トレイパネルの湾部とによって、前記ディスクトレイをわずかに引き出して前記接触を解放したときに前記光ディスクの面に沿って流れる風切音が筐体内方に向かって流れ、かつＵターンして筐体外方向に向かって流れる風切音流路部が形成されること
を特徴とする光ディスク再生装置。
【請求項６】
請求項５において、前記風切音流路部は、風切部がＵターンする部分が前記前面パネル部よりも筐体内部に形成されることを特徴とする光ディスク再生装置。
【発明の詳細な説明】
【技術分野】
【０００１】
本発明は、光ディスク再生装置に関する。
【背景技術】
【０００２】
近年のＤＶＤプレーヤー等の光ディスク再生装置は、従来の光ディスク再生装置と比較して高い転送レートで光ディスクに記録された情報を再生することが行われる。このため従来の光ディスク再生装置に対し光ディスクの回転速度が高速化してきている。
【０００３】
光ディスクの回転速度が上がることで光ディスクの回転に伴って発生する風切音が大きくなり光ディスク再生装置の騒音抑制が大きな課題となってきている。
【０００４】
筐体の一端に開口部を有し、筐体内の光ディスクが収納される収納位置から筐体外に引き出される位置へとスライド可能なディスクトレイ等により光ディスクの収納及び排出が開口部から行われる光ディスク再生装置において、筐体内に収納した光ディスクが回転することにより発生する風切音が筐体外へ漏れるのを防止するためにフロントパネルと光ディスクとの間に仕切壁を介在させる光ディスク再生装置がある（例えば引用文献１）。
【０００５】
また、ディスクトレイの前面と開口部との間にパッキング部材を設けると共にディスクトレイの表面に凹凸を設けることによって光ディスクの回転による風切音が外部に漏れるのを抑制する機能を備えるディスク装置がある（例えば特許文献２）。
【０００６】
【特許文献１】特開２００３−２７２３６８号公報
【特許文献２】特開２００１−１６０２８３号公報
【発明の開示】
【発明が解決しようとする課題】
【０００７】
特許文献１に開示されている光ディスク装置は、クランパー保持機構の一部を伸ばし、開口部との間に仕切壁とディスクトレイとの間に隙間が必要であり、この隙間から光ディスクの風切音が漏れてしまい、遮音効果が十分ではない。
また、特許文献２に開示されているディスク装置はディスクトレイ収納時に筐体とトレイパネルの間にパッキング材を設け機密性を確保する構成であるが、パッキング材の反りや変形（以下、反りを例にとって説明する）、およびトレイパネルの反りや変形によりトレイパネルと開口部との間に隙間が生じてしまい機密性を十分確保できない場合があり、これにより光ディスクの回転時の風切音の遮蔽が十分でない場合が発生する。
【０００８】
図５は従来の光ディスク再生装置を示す断面図である。図５において、光ディスク５は再生時の位置に搬送された状態である。従来の光ディスク再生装置は光ディスク５を搬送するディスクトレイ１、ディスクトレイ１の先端に設けられたトレイパネル２、筐体３、及びクッション材４から構成される。
【０００９】
筐体３の前面には開口部１０が形成されている。トレイパネル２は、プラスチック等の合成樹脂部材からなり、クッション材４は、弾性を有するゴム樹脂部材などからなる。
筐体３内の再生位置に搬送された光ディスク５は、再生時に高速で回転し風切音を発生する。この風切音は、ディスクトレイ１引き出しのための開口部１０より騒音としてトレイパネル２と開口部１０との間の隙間から漏れ出してくる。これを軽減するためにトレイパネル２と対向する開口部１０の前面にクッション材４を固定することによってトレイパネル２と開口部１０との隙間を塞いでいる。
【００１０】
クッション材４はディスクトレイ１の開閉に対しトレイパネル２と当接する部分はある程度弾性を持ち、光ディスク５が収納位置に搬送された状態ではトレイパネル２と当接することにより多少の変形をするような材料としているが、ディスクトレイ１を閉じる時のほうが余り大きくならないよう、クッション材４がトレイパネル２と当接したときの変形量は小さく設定されるように配設する必要がある。図６は、従来の光ディスク再生装置を示す図で、図６（ａ）は、トレイパネル２に反りが生じた場合を示す上面図、図６（ｂ）は図６（ａ）のＡ−Ａ断面図である。図６に示すようにトレイパネル２に反りが生じてしまった場合、トレイパネル２とクッション材４との間に隙間Ｂが発生してしまい光ディスク５の風切音が隙間Ｂから筐体３の外部へ漏れ出してしまうことが生じる。
【００１１】
本発明は、トレイパネルに反りが発生した場合でも光ディスクの風切音により騒音を低減することができる光ディスク再生装置を提供することを目的とする。
【課題を解決するための手段】
【００１２】
本願の発明は、光ディスク再生装置において、一端に開口部を有する筐体と、筐体内の光ディスクが収納される収納位置と筐体外に引き出される位置とへスライド可能なディスクトレイ等により光ディスクの引き出しが開口部から行われる光ディスク再生装置において、前記ディスクトレイの先端部に設けられるトレイパネルとパッキング材とによって前記開口部に空間部をＵターンさせてオーバーラップするように設け、ディスクトレイの先端が前記パッキング材からの接触が解放されたときに前記オーバーラップする空間部によって長い風切音流出路を形成することを特徴とする。
【００１３】
本発明は、前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置において、前記開口部は、前記前面パネルよりも筐体内方に凹んだ形状の凹部を有して構成され、前記凹部の底面に固着され、該ディスクトレイに沿った形で前記筐体外方に向かって突出する突出部を有するパッキング部が前記凹部内に設けられる光ディスク再生装置を提供する。
【００１４】
本発明は、更に具体的に前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置において、前記開口部は、前記前面パネルよりも筐体内方に凹んだ形状の凹部を有して構成され、前記凹部の底面に固着される底部と、該ディスクトレイに沿った形で前記筐体外方に向かって突出する凸部とからなるパッキング部が前記凹部内に設けられる光ディスク再生装置を提供する。前記突出部は前記凸部によって構成され得る。
【発明の効果】
【００１５】
本発明の光ディスク再生装置によれば、筐体の一端に開口部を有し、筐体内に収納された光ピックアップや回転を駆動させる回転機構等が置かれた光ディスクが収納される収納位置へとスライド可能なディスクトレイ等により光ディスクの引き出しが開口部から行われる光ディスク再生装置において、前記ディスクトレイの先端部に設けられ、トレイパネルとパッキング部によってＵターンしてオーバーラップするようにして長い空間部が設けられるので、ディスクトレイとパッキング部との間の接触が解放されたような場合にあっても、例えばトレイパネルに反りが生じた場合でも筐体外に漏れる光ディスク再生時の光ディスクの回転による騒音を低減することができる。
【発明を実施するための最良の形態】
【００１６】
前面パネル部に開口部が形成された筐体と、光ディスクを載置し、前記筐体内に収納される収納位置と前記開口部から前記筐体外に引き出される引き出し位置との間をスライド自在に設けられるディスクトレイと、前記開口部を閉止するトレイパネルとを備えた光ディスク再生装置は、前記前面パネル部よりも筐体内方に凹んだ形状の凹部を有して構成された前記開口部と、前記凹部の底面に固着され、該ディスクトレイに沿った形で前記筐体外方に向かって突出する突出部との間に、上端部および下端部が筐体内方に向かって突出し、先端が前記パッキング部に接触する前記トレイパネルの湾部とによって、前記ディスクトレイをわずかに引き出して前記接触を解放したときに前記光ディスクの面に沿って流れる風切音が筐体内方に向かって流れ、かつＵターンして筐体外方向に向かって流れるオーバーラップ形状の風切音流路部が形成される。
【００１７】
前記風切音流路部は、風切部がＵターンする部分が前記前面パネル部よりも筐体内部に形成される。
前記パッキング部は、クッション材機能を有し、前記トレイパネルは、上端部および下端部が筐体内方に向かって突出し、先端が前記パッキング部に接触する湾部を有して構成される。
また、前記凸部は、先端部が前記湾部の内面に沿った形で傾斜する傾斜部として構成される。
【実施例】
【００１８】
以下、本発明の実施例を図面に基づいて説明する。
図１は、本発明の実施例である光ディスク再生装置１００の構成を示し、図２は、図１に示す光ディスク再生装置１００のディスクトレイを筐体の前方へ引き出した状態を示す断面で示す図である。
【００１９】
これらの図において、光ディスク再生装置１００は、ディスクトレイ１、筐体３、トレイパネル６、クッション材からなるパッキング部７、図示しないスピンドルモータ、ターンテーブル、光ピックアップ、トレイ駆動部、再生部、操作部および制御部を備える。
【００２０】
筐体３は、前面パネル部３１等のパネル部およびトップカバー３２を備えた箱型を成し、前面パネル部３１に開口部１０が形成される。開口部１０の上辺と下辺には凹部３０１が形成されている。ディスクトレイ１は、上面に光ディスク５を載置可能であって、トレイ駆動部によって筐体３の前方へ引き出される位置と筐体３の内部に収納される位置とをスライドする。操作部は、筐体３の表面に配設され、光ディスク５の再生指示やディスクトレイ１の引き出しや収納を指示する信号を制御部へ出力する。制御部は、操作部からの指示信号に基づいてスピンドルモータ、光ピックアップ、トレイ駆動部及び再生部を制御する。
【００２１】
ディスクトレイ１によって光ディスク５が筐体３内に収納されると、光ディスク５は、駆動機構を構成するスピンドルモータに軸支されたターンテーブルに載置され、スピンドルモータが回転することにより回転駆動する。光ピックアップは、回転している光ディスク５の表面にレーザ光を照射することにより、光ディスク５の表面に記録されたデータを読み取る。再生部は、光ピックアップが読み取ったデータを再生する。
【００２２】
ディスクトレイ１の前端にはトレイパネル６か固定されている。トレイパネル６は、開口部１０を閉止する。トレイパネル６は、上辺（上端部）と下辺（下端部）にそれぞれ滑らかに湾曲を成す湾部６０１が形成されている。パッキング部７は、弾性体をなすゴム樹脂、ポリウレタン樹脂などの多孔質樹脂等から成り、凹部３０１の底部３０２の前面に固定（固着）されている。パッキング部７は、前方に突出する凸部７２を備え、凸部７２の先端には湾部６０１に向かって傾斜する傾斜部７０２が形成されている。なお、図２に示す傾斜部７０２は、平面形状となっているが、Ｒ形状であってもよい。
【００２３】
図２に示すように、凹部３０１は、前面パネル部３１よりも筐体内方に向かって形成してあり、凹部３０１の底部３０２は筐体内部に位置する。凹部３０１は前面パネル部３１と一体成形されてもよいし、取り付ける構造としてもよい。パッキング部７は、クッション機能を有しており、クッション材と称することができる。パッキング部７は、凹部３０１の底部３０２の前面に固着される底部７１とディスクトレイ１の面に沿った形で筐体外方に向かって突出する突出部、すなわち凸部７２とから構成される。すなわち、凸部７２の一部が突出部となる。底部７１と凸部７２とは一体ものとして構成されるのがよい。従って、底部７１ばかりでなく凸部７２もクッション機能を有する。上端部および下端部が筐体内方に向かって突出し、ディスクトレイ１が引き出されているときには、凹部３０１の底部７１に向かって対峙している。
【００２４】
図３はディスクトレイ１を筐体３の内部に収納した状態を示す断面図である。
トレイ駆動部によってディスクトレイ１が筐体３の内部に収納されると、トレイパネル６の湾部６０１の後端がパッキング部７の底部７１の前面と当接する。すなわち、接触し、軽く押圧する。このとき、パッキング部７の傾斜部７０２は、湾部６０１の内壁に近接する位置となるように配設される。トレイパネル６の湾部６０１がパッキング部７の前面に当接することにより、トレイパネル６と開口部１０との間に隙間は生じない。これにより、光ディスク５の回転による風切音が筐体３の外部に漏れるのを防止することができる。
【００２５】
図３において、トレイパネル６と湾部６０１と凹部３０１とによって、開口部１０には上下にＵターンしてオーバーラップした形で空間部５１、５２が形成される。また、凸部７２とディスクトレイ１との間にも空間部５３が形成される。このように、凸部７２はその両面側に空間部５１、５３を形成する。空間部５１、５２、５３によって三層のオーバーラップ形状が構成される。特に、空間部５１、５２によるオーバーラップ形状が風切音防止のために重要である。
【００２６】
図４は、トレイパネル６に反りが生じた場合のトレイパネル６の中央部分を示す断面図である。
トレイパネル６は、金型成型により製作する場合や外部の温度変化によって、湾曲を成す反りが生じることがある。すると、トレイパネル６は、左右端部分から中央部分に亘って湾曲を成す反りが生じ、トレイパネル６の中央部分が前方へ膨らんだ状態となる。これにより、トレイパネル６の左右端部分では湾部６０１の後端と底部７１のクッション材の前面が当接していても、図４に示すように、トレイパネル６の中央部分では湾部６０１の後端と底部７１のクッション材の前面との間に隙間７３が生じる。隙間７３が形成され、傾斜部７０２と湾部６０１との間には他の隙間７４があることによって、空間部５３、５１、５２によって風切音の流路部が形成される。これらの空間部は上述したように上下にオーバーラップして長くなり、特に空間部５１と空間部５２とは風切音がＵターンするような形でオーバーラップして流れることになる。このように、底部７１のクッション材の凸部７２が湾部６０１の内側に配設され、傾斜部７０２が湾部６０１に近接した位置に配設されていることにより、従来の光ディスク再生装置と比較してトレイパネル６と底部７１のクッション材の隙間の経路（先の説明では風切音流路部と定義した。）が長くなる。また、傾斜部７０２と湾部６０１の間を通り抜けた風切音は、湾部６０１により筐体３の内部方向へ反射されたり、底部７１のクッション材に吸収される。このことにより、トレイパネル６に反りが生じても、従来の光ディスク再生装置と比較して光ディスク５の回転により生じる風切音が筐体３の外部に漏れるのを低減することができる。
【００２７】
本実施例の光ディスク再生装置では、底部７１のクッション材とトレイパネル６は一面のみで接触するのではなくオーバーラップした空間部５１、５２を持つようになっている。このため、トレイパネル６の反り等が発生し密閉が保たれなくなった場合においても、光ディスクが回転し発生する風切音の隙間の導路が長くなることから光ディスクの風切音の漏れ出しを低減することが可能となる。
【図面の簡単な説明】
【００２８】
【図１】本発明の一実施例の光ディスク再生装置を示す斜視図。
【図２】本実施例の光ディスク再生装置の断面図。
【図３】本実施例の光ディスク再生装置における断面図。
【図４】本実施例の光ディスク再生装置のトレイパネルに反りが生じた場合を示す断面図。
【図５】従来の光ディスク再生装置を示す断面図。
【図６】従来の光ディスク再生装置を示す図。
【符号の説明】
【００２９】
１…ディスクトレイ、２、６…トレイパネル、３…筐体、３０１…凹部、４…クッション材、５…光ディスク、７…パッキング部（クッション部）７１…底部、７２…凸部、７０２…傾斜部、１０…開口部、３１…前面パネル部、１００…光ディスク再生装置。
【図１】
2005196884.tif 000003
【図２】
2005196884.tif 000004
【図３】
2005196884.tif 000005
【図４】
2005196884.tif 000006
【図５】
2005196884.tif 000007
【図６】
2005196884.tif 000008